(57)【要約】【目的】電力供給線において、電気の供給を停止することなく、積算電力計の交換又は機械の交換修理を短時間、敏速に且つ安全に行えるよう迂回路を構築出来る電気器具を提供する。【構成】クリップ（１）に通電軸（２）とバイパス用電線（３）引っ張りレバー（５）電力ケーブルを引き寄せるクリップアーム（４）設け、バイパス用電線（３）を介してもう片方にも同様に設ける。【選択図】図１
0003137298.tif 000002
【実用新案登録請求の範囲】
【請求項１】
クリップ（１）に電線被服を貫通させる通電軸（２）と、クリップアーム（４）を引っ張る引っ張りレバー（５）を設けて、これと同じものがバイパス用電線（３）の両端に取り付けられた電力ケーブルのバイパス用ケーブル及びクリップ。
【考案の詳細な説明】
【考案の詳細な説明】
【産業上の利用分野】
【０００１】この考案は、積算電力計の取り替え及びケーブルを一時断線させる際、電力の供給を停止する事のないよう迂回路を構築するためワンタッチで接続出来る電力ケーブルのバイパス用ケーブル及びクリップに関するものである。
【背景技術】
【０００２】従来、電力ケーブルに接続する際、引っ掛け部に電力ケーブルを乗せて、通電ねじをねじ込み電力ケーブルの被服を貫通して銅線に接触させ、且つ接触面を広げる為にペンチ類でねじ込みを深めて接触抵抗を下げていた。又取り外しの際も手で回せないほど強くねじ込まれているため工具が必要となり脱着に時間を要した。安全面においても構造物が電導性の金属で構成されているため感電又は短絡の危険性もあった。
【考案が解決しようとする課題】
【０００３】    これは次のような欠点があった。
（イ）取り付け取り外しに時間が掛かった。
（ロ）感電  短絡の危険性があった。
（ハ）取り付け取り外しに別途工具が必要であった。
（ニ）バイパスケーブルの取り出し方向に作業性の悪さがあった。
本考案はこれらの欠点を解決するためになされたものである。
【課題を解決するための手段】
【０００４】（イ）構造物の表面を絶縁性の材質で構成した。
（ロ）引っ張り方式によりワンタッチで電力ケーブルを挟むことが出来、通電軸が固定して被服を貫通  且つ接触抵抗を小さくするところまで到達できる耐圧を持っている引っ張りレバーを取り付けた。
（ハ）工具を必要としない。
（ニ）バイパス用ケーブルの取り出し方向が対電力ケーブルと垂直にあるため操作性がよい。
【作用】
【０００５】電力ケーブルにクリップアーム（４）をあてがいクリップ（１）に引き寄せる、引っ張りレバー（５）を開きクリップアーム（４）の頭部に引っ掛けて手前に引っ張る。これでクリップ（１）に出ている通電軸（２）が電力ケーブルの被服を貫き銅線に達して電力の迂回路を造る。
【実施例】
【０００６】    以上の実施例について説明する。
（イ）電力ケーブルに対してクリップアーム（４）を垂直方向にあてがう。
（ロ）指先でクリップアーム（４）をクリップ（１）の通電軸（２）の先端に達するまで引き寄せる。
（ハ）その状態で引っ張りレバー（５）を開けてクリップアーム（４）の頭部に引っ掛ける。
（ニ）引っ張りレバー（５）を元の位置に引っ張る
（ホ）これでクリップアーム（４）がクリップ（１）に引き寄せられ通電軸（２）が電力ケーブルの被服を貫き銅線部に到達して電気が流れる。
（ヘ）同様の構造でもう片方も構成されているので同じように実施する事で迂回路が構築される。
（ト）外す時は引っ張りレバー（５）を開きクリップアーム（４）の頭部から外し、引っ張りレバー（５）を元に戻して電力ケーブルをクリップアームから外す。
（チ）もう片方も同様の作業で外す。
【考案の効果】
【０００７】電力ケーブルに取り付け及び取り外しする時間が短縮できる。充電部の金属が絶縁材で覆われているため感電の心配がない。隣接する同様の電力ケーブルのバイパス用ケーブル及びクリップと接触しても短絡する事がない。取り付け及び取り外しの際別の工具を必要としない。
【図面の簡単な説明】
【図１】本考案の斜視図である。
【図２】本考案の要部断面図である。
【符号の説明】
１．クリップ
２．通電軸
３．バイパス用電線
４．クリップアーム
５．引っ張りレバー
【図１】
0003137298.tif 000003
【図２】
0003137298.tif 000004
【手続補正書】
【提出日】平成19年8月17日(2007.8.17)
【手続補正１】
【補正対象書類名】実用新案登録請求の範囲
【補正対象項目名】全文
【補正方法】変更
【補正の内容】
【実用新案登録請求の範囲】
【請求項１】
クリップ（１）に電線被覆を貫通させる通電軸（２）と、クリップアーム（４）を引っ張る引っ張りレバー（５）を設けて、これと同じものがバイパス用電線（３）の両端に取り付けられた電力ケーブルのクリップを両端に備えたバイパス用ケーブル。
【手続補正２】
【補正対象書類名】明細書
【補正対象項目名】０００１
【補正方法】変更
【補正の内容】
【０００１】
この考案は、積算電力計の取り替え及びケーブルを一時断線させる際、電力の供給を停止する事のないよう迂回路を構築するためワンタッチで接続出来る電力ケーブルのクリップを両端に備えたバイパス用ケーブル。に関するものである。
【従来の技術】
【０００２】
従来、電力ケーブルに接続する際、引っ掛け部に電力ケーブルを乗せて、通電ねじをねじ込み電力ケーブルの被覆を貫通して銅線に接触させ、且つ接触面を広げる為にペンチ類でねじ込みを深めて接触抵抗を下げていた。又取り外しの際も手で回せないほど強くねじ込まれているため工具が必要となり脱着に時間を要した。安全面においても構造物が電導性の金属で構成されているため感電又は短絡の危険性もあった。
【考案が解決しようとする課題】
【０００３】
これは次のような欠点があった。
（イ）取り付け取り外しに時間が掛かった。
（ロ）感電  短絡の危険性があった。
（ハ）取り付け取り外しに別途工具が必要であった。
（ニ）バイパスケーブルの取り出し方向に作業性の悪さがあった。
本考案はこれらの欠点を解決するためになされたものである。
【課題を解決するための手段】
【０００４】
（イ）構造物の表面を絶縁性の材質で構成した。（ロ）引っ張り方式によりワンタッチで電力ケーブルを挟むことが出来、通電軸が固定して被覆を貫通  且つ接触抵抗を小さくするところまで到達できる耐圧を持っている引っ張りレバーを取り付けた。
（ハ）工具を必要としない。
（ニ）バイパス用ケーブルの取り出し方向が対電力ケーブルと垂直にあるため操作性がよい。
【作用】
【０００５】
電力ケーブルにクリップアーム（４）をあてがいクリップ（１）に引き寄せる、引っ張りレバー（５）を開きクリップアーム（４）の頭部に引っ掛けて手前に引っ張る。これでクリップ（１）に出ている通電軸（２）が電力ケーブルの被覆を貫き銅線に達して電力の迂回路を造る。
【実施例】
【０００６】
以上の実施例について説明する。
（イ）電力ケーブルに対してクリップアーム（４）を垂直方向にあてがう。
（ロ）指先でクリップアーム（４）をクリップ（１）の通電軸（２）の先端に達するまで引き寄せる。
（ハ）その状態で引っ張りレバー（５）を開けてクリップアーム（４）の頭部に引っ掛ける。
（ニ）引っ張りレバー（５）を元の位置に引っ張る
（ホ）これでクリップアーム（４）がクリップ（１）に引き寄せられ通電軸（２）が電力ケーブルの被覆を貫き銅線部に到達して電気が流れる。
（ヘ）同様の構造でもう片方も構成されているので同じように実施する事で迂回路が構築される。
（ト）外す時は引っ張りレバー（５）を開きクリップアーム（４）の頭部から外し、引っ張りレバー（５）を元に戻して電力ケーブルをクリップアームから外す。
（チ）もう片方も同様の作業で外す。
【考案の効果】
【０００７】
電力ケーブルに取り付け及び取り外しする時間が短縮できる。充電部の金属が絶縁材で覆われているため感電の心配がない。隣接する同様の電力ケーブルのクリップを両端に備えたバイパス用ケーブルと接触しても短絡する事がない。取り付け及び取り外しの際別の工具を必要としない。